(57)【要約】【課題】上りスケジューリング情報がユーザ装置で適切に受信されていれば、下りスケジューリング情報の受信状態によらず、上り信号が基地局装置で適切に受信されるようにすること。【解決手段】通常のデータ信号と時間多重される送達確認情報のビット領域が、送達確認情報が送信されるか否かに依らず、上り信号で常に確保される。どの移動局が共有チャネルを用いて通信を行うかの情報を通知する下りＬ１／Ｌ２制御チャネルが誤った場合にも、基地局装置は上りリンクにおいて通常のデータ信号を正しく受信できる。【選択図】図５
2008289114.tif 000002
【特許請求の範囲】
【請求項１】
移動通信システム内で基地局装置と無線通信するユーザ装置であって：
下りリンクにおいて、第１の共有チャネルを受信する受信手段と、
上りリンクにおいて、前記第１の共有チャネルの送達確認情報と第２の共有チャネルとを送信する送信手段と、
を具備し、送達確認情報を要しない上り信号でも、送達確認情報用のビット領域に第２の共有チャネルがマッピングされることは禁止される
ことを特徴とするユーザ装置。
【請求項２】
請求項１に記載のユーザ装置であって、
送達確認情報を要しない上り信号では、送達確認情報用のビット領域に、何らかのデータが存在することを示す電力を割り当てることは禁止される
ことを特徴とするユーザ装置。
【請求項３】
請求項１に記載のユーザ装置であって、
送達確認情報用のビット領域に、下り受信品質情報がマッピングされることも禁止される
ことを特徴とするユーザ装置。
【請求項４】
請求項１に記載のユーザ装置であって、
第２の共有チャネルを表す部分と送達確認情報を表す部分とが、時分割多重方式、周波数分割多重方式及び符号分割多重方式の内の１つ以上の方式で多重される
ことを特徴とするユーザ装置。
【請求項５】
請求項１に記載のユーザ装置であって、
前記第１の共有チャネルのための下りリンクの制御チャネルが送信されない場合に、
送達確認情報を要しない上り信号でも、送達確認情報用のビット領域に第２の共有チャネルがマッピングされることは禁止される
ことを特徴とするユーザ装置。
【請求項６】
請求項１に記載のユーザ装置であって、
前記第２の共有チャネルにパーシステントスケジューリングが適用されている場合に、
送達確認情報を要しない上り信号でも、送達確認情報用のビット領域に第２の共有チャネルがマッピングされることは禁止される
ことを特徴とするユーザ装置。
【請求項７】
請求項１に記載のユーザ装置であって、
前記第２の共有チャネルが再送される場合に、
送達確認情報を要しない上り信号でも、送達確認情報用のビット領域に第２の共有チャネルがマッピングされることは禁止される
ことを特徴とするユーザ装置。
【請求項８】
移動通信システム内でユーザ装置と無線通信を行う基地局装置であって、
下りリンクにおいて、第１の共有チャネルを送信する送信手段と、
上りリンクにおいて、前記第１の共有チャネルの送達確認情報と第２の共有チャネルとを受信する受信手段と、
送達確認情報用のビット領域以外にマッピングされた第２の共有チャネルを抽出及び復号する手段と、
を有することを特徴とする基地局装置。
【請求項９】
請求項８に記載の基地局装置であって、
前記第１の共有チャネルのための下りリンクの制御チャネルが送信しない場合に、
送達確認情報用のビット領域以外にマッピングされた第２の共有チャネルを抽出及び復号する
ことを特徴とする基地局装置。
【請求項１０】
請求項８に記載の基地局装置であって、
前記第２の共有チャネルにパーシステントスケジューリングが適用されている場合に、
送達確認情報用のビット領域以外にマッピングされた第２の共有チャネルを抽出及び復号する
ことを特徴とする基地局装置。
【請求項１１】
請求項８に記載の基地局装置であって、
前記第２の共有チャネルが再送される場合に、
送達確認情報用のビット領域以外にマッピングされた第２の共有チャネルを抽出及び復号する
ことを特徴とする基地局装置。
【請求項１２】
請求項８に記載の基地局装置であって、
送達確認情報用のビット領域以外にマッピングされた下り受信品質情報を抽出及び復号する
ことを特徴とするユーザ装置。
【請求項１３】
請求項８に記載の基地局装置であって、
前記第１の共有チャネルの送信後に受信された上り信号に送達確認情報が含まれているか否かを判定する判定手段
をさらに有することを特徴とする基地局装置。
【請求項１４】
請求項１３に記載の基地局装置であって、
前記判定手段により、前記送達確認情報の含まれていないことが確認された場合に、前記第１の共有チャネルを再送する再送手段
をさらに有することを特徴とする基地局装置。
【請求項１５】
請求項１３に記載の基地局装置であって、
上り信号の中で送達確認情報が含まれているかもしれない信号部分の受信信号品質により、前記判定手段による判定が行われる
ことを特徴とする基地局装置。
【請求項１６】
ユーザ装置と、前記ユーザ装置と通信を行う基地局装置とを有する移動通信システムであって、前記ユーザ装置は、
下りリンクで第１の共有チャネルを受信する受信手段と、
前記第１の共有チャネルの送達確認情報と第２の共有チャネルとを上りリンクで送信する送信手段と、
を有し、送達確認情報を要しない上り信号でも、送達確認情報用のビット領域に第２の共有チャネルがマッピングされることは禁止され、前記基地局装置は、
下りリンクで前記第１の共有チャネルを送信する送信手段と、
前記第１の共有チャネルの送達確認情報と第２の共有チャネルとを上りリンクで受信する受信手段と、
送達確認情報用のビット領域以外にマッピングされた第２の共有チャネルを抽出及び復号する手段と、
を有することを特徴とする移動通信システム。
【請求項１７】
ユーザ装置と、前記ユーザ装置と通信を行う基地局装置とを有する移動通信システムで使用される方法であって、
第１の共有チャネルが前記基地局装置から前記ユーザ装置に送信されるステップと、
第２の共有チャネルに加えて、前記第１の共有チャネルの送達確認情報が含まれるかもしれない上り信号が、前記ユーザ装置から前記基地局装置に送信されるステップと、
を有し、前記ユーザ装置では、送達確認情報を要しない上り信号でも、送達確認情報用のビット領域に第２の共有チャネルがマッピングされることは禁止される、
ことを特徴とする方法。
【発明の詳細な説明】
【技術分野】
【０００１】
本発明は移動通信の技術分野に関連し、特に次世代移動通信技術を用いる移動通信システム、基地局装置、ユーザ装置及び方法に関する。
【背景技術】
【０００２】
ワイドバンド符号分割多重接続(Ｗ−ＣＤＭＡ)方式、高速ダウンリンクパケットアクセス(ＨＳＤＰＡ)方式、高速アップリンクパケットアクセス（ＨＳＵＰＡ）方式等の後継となる通信方式、すなわちロングタームエボリューション(ＬＴＥ：Ｌｏｎｇ  Ｔｅｒｍ  
Ｅｖｏｌｕｔｉｏｎ）が、Ｗ−ＣＤＭＡの標準化団体３ＧＰＰで検討されている。ＬＴＥでの無線アクセス方式として、下りリンクについては直交周波数分割多重接続(ＯＦＤＭ
：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が、上りリンクについてはシングルキャリア周波数分割多重接続(ＳＣ−Ｆ
ＤＭＡ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が有望視されている（これについては例えば、非特許文献１参照）。
【０００３】
ＯＦＤＭ方式は、周波数帯域を複数の狭い周波数帯域（サブキャリア）に分割し、各サブキャリアにデータを載せて伝送を行うマルチキャリア伝送方式である。サブキャリアを周波数軸上に直交させながら密に並べることで高速伝送を実現し、周波数の利用効率を上げることが期待できる。
【０００４】
ＳＣ−ＦＤＭＡ方式は、周波数帯域を端末毎に分割し、複数の端末間で異なる周波数帯域を用いて伝送するシングルキャリア伝送方式である。端末間の干渉を簡易且つ効果的に低減することができることに加えて送信電力の変動を小さくできるので、この方式は端末の低消費電力化及びカバレッジの拡大等の観点から好ましい。
【０００５】
ＬＴＥシステムでは、下りリンク及び上りリンク両方において、移動局に１つ以上のリソースブロックが割り当てられて通信が行われる。リソースブロックはシステム内の多数の移動局で共有される。基地局装置は、サブフレーム（ＬＴＥでは１ｍｓ）毎に複数の移動局の中でどの移動局にリソースブロックを割り当てるかを決定する(このプロセスはス
ケジューリングと呼ばれる。)。下りリンクにおいては、基地局装置はスケジューリングで選択された移動局に１以上のリソースブロックにおいて共有チャネルを送信する。上りリンクにおいては、選択された移動局が基地局装置に対して１以上のリソースブロックにおいて共有チャネルを送信する。
【０００６】
下りリンクの共有チャネルは、物理下りリンク共有チャネル（ＰＤＳＣＨ：Ｐｈｙｓｉｃａｌ  Ｄｏｎｗｌｉｎｋ  Ｓｈａｒｅｄ  Ｃｈａｎｎｅｌ）と呼ばれ、上りリンクの共有チャネルは、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と呼ばれる。また、トランスポートチャネルとしては、下りリンクにおいては（ＤＬ−ＳＣＨ：Ｄｏｗｎｌｉｎｋ  Ｓｈａｒｅｄ  Ｃｈａｎｎｅｌ）と呼ばれ、上りリンクにおいては（ＵＬ−ＳＣＨ：Ｕｐｌｉｎｋ  Ｓｈａｒｅｄ  Ｃｈａｎｎｅｌ）と呼ばれる。
【０００７】
各サブフレームにおいて、どの移動局がどの共有チャネルを用いて通信を行うかについての情報は、下りリンク制御チャネルを用いて基地局装置から移動局に通知される。この下りリンクの制御チャネルは、ダウンリンクＬ１／Ｌ２制御チャネル又は下り低レイヤ制御チャネル（ＤＬ  Ｌ１／Ｌ２  ｃｏｎｔｒｏｌ  ｃｈａｎｎｅｌ）、または、物理下り制御チャネルＰｈｙｓｉｃａｌ  Ｄｏｗｎｌｉｎｋ  Ｃｏｎｔｒｏｌ  Ｃｈａｎｎｅｌと
呼ばれる。どの移動局が共有チャネルを用いて通信を行うかについての情報の通知は、下りリンク及び上りリンクそれぞれに関して、下り低レイヤー制御チャネルを用いて行われる。（非特許文献２）
ＬＴＥのＭＡＣレイヤーでは、下りリンクと上りリンクの両方において、ハイブリッド自動再送制御(ＨＡＲＱ：Ｈｙｂｒｉｄ  Ａｕｔｏｍａｔｉｃ  Ｒｅｐｅａｔ  ｒｅＱｕ
ｅｓｔ）が適用される。例えば、下りリンクにおいては、移動局は、ＤＬ−ＳＣＨのＣＲＣチェック結果に基づき、その送達確認情報であるＡｃｋｎｏｗｌｅｄｇｅｍｅｎｔ  Ｉｎｆｏｒｍａｔｉｏｎを上りリンクで送信する。基地局装置は、送達確認情報の内容に応じて再送制御を行う。送達確認情報の内容は、送信信号が適切に受信されたことを示す肯定応答(ＡＣＫ)又はそれが適切に受信されなかったことを示す否定応答(ＮＡＣＫ)の何れかで表現される。
【０００８】
一例としてＨＳＤＰＡ方式においては、上記送達確認情報は、上りリンクのＨＳＤＰＡ用の個別物理制御チャネルである高速個別物理制御チャネル（ＨＳ−ＤＰＣＣＨ：Ｈｉｇｈ  Ｓｐｅｅｄ  Ｄｅｄｉｃａｔｅｄ  Ｐｈｙｓｉｃａｌ  Ｃｏｎｔｒｏｌ  ＣＨａｎｎｅｌ）を用いて送信される。このＨＳ−ＤＰＣＣＨは、通常のデータ信号がマッピングされるチャネルとコード多重されて送信されている。すなわち、上記送達確認情報と通常データ信号は異なるチャネルで送信されている（例えば、非特許文献３）
一方、ＬＴＥシステムでは、移動局が通常のデータ信号を送信する場合には、上記送達確認情報は、通常のデータ信号と時間多重されて送信され、移動局が通常のデータ信号を送信しない場合には、システム帯域の両端に位置する上り物理制御チャネルを用いて送信されることが検討されている。（例えば、非特許文献４）
ここで、通常のデータ信号とは、データ通信用パケットデータや音声パケット(例えば、ＶｏＩＰパケット)の等のユーザデータを含む概念であり、共有データチャネルで伝送される（上りリンクの場合にはＰＵＳＣＨで、下りリンクの場合にはＰＤＳＣＨで伝送される。）。トランスポートチャネルは、上りリンクの場合にはＵＬ−ＳＣＨ、下りリンクの場合にはＤＬ−ＳＣＨに相当する。
【非特許文献１】3GPP  TR  25.814  (V7.0.0),  "Physical  Layer  Aspects  for  EvolvedUTRA,"  June  2006
【非特許文献２】R1-070103,  Downlink  L1/L2  Control  Signaling  Channel  Structure:  Coding
【非特許文献３】25.211  V6.7.0  2005-12
【非特許文献４】R1-070100,  CDMA-Based  Multiplexing  Method  for  Multiple  ACK/NACK  and  CQI  in  E-UTRA  Uplink,  January  2007
【非特許文献５】R4-030928,  Simulation  conditions  for  HS-DPCCH  (ACK/NACK)  detection  performance,  November  2003
【発明の開示】
【発明が解決しようとする課題】
【０００９】
しかしながら、上述した背景技術には以下の問題がある。
【００１０】
共有チャネルを用いて通信が行われ、かつ、ハイブリッド自動再送制御(ＨＡＲＱ)が利用される場合を考える。下りＬ１／Ｌ２制御チャネルが、どの移動局が共有チャネルを用いて通信を行うかの情報を含む場合であって、それが移動局に適切に受信されなかった場合には、基地局装置と移動局とで状態の不一致が発生してしまう。例えば、基地局装置が、ある移動局に対して、下りＬ１／Ｌ２制御チャネルを用いて、その移動局が或るリソースで下り共有チャネルを受信すべきことを示す制御情報(下りスケジューリング情報)と共に、共有チャネル(共有データチャネル)を送信したとする。この移動局は、下りＬ１／Ｌ２制御チャネルに含まれているスケジューリング情報を正しく受信できなかったとする。この場合、その移動局は、共有チャネルを適切に受信できないだけでなく、自局に共有チャネルが送信されたことさえ分からないので、その共有チャネルの受信結果を表す送達確認情報(ＡＣＫ／ＮＡＣＫ)も送信しない。一方、その移動局が下りＬ１／Ｌ２制御チャネルに含まれているスケジューリング情報を正しく受信できなかったことは、基地局装置も知らない。従って基地局装置は共有チャネルの送信後、所定のタイミングにおいて、その共有チャネルに対する送達確認情報が移動局から送信されて来ることを期待する。
【００１１】
移動通信システムが仮にＨＳＤＰＡ方式であったならば、この送達確認情報と通常のデータ信号は異なるチャネルで送信される。従って基地局装置は、移動局が送達確認情報を送信するか否かによらず、移動局からの通常のデータ信号の復調及び復号を行うことができるであろう。
【００１２】
しかしながら、ＬＴＥの場合には、上述したように、この送達確認情報と通常のデータ信号が同じリソースブロックで伝送されるので、通常のデータ信号を適切に復調及び復号するには、移動局が送達確認情報を送信したか否かを知る必要がある。なぜなら、移動局が送達確認情報を送信する場合と、移動局が送達確認情報を送信しない場合とで、通常のデータ信号のマッピングされる位置が異なるからである。従って、基地局装置が共有データチャネルを送信した後に、移動局がそれに対する送達確認情報を上り信号に含めずに送信した場合には、基地局装置はその上り信号中の内容(上り共有データチャネル)を適切に復調等できなくなってしまう。言い換えれば、移動局において下りリンクのスケジューリング情報が正しく受信されなかった場合には、移動局が上りリンクのスケジューリング情報を適切に受信し且つそれに基づいて上り信号を送信したとしても、基地局装置は通常のデータ信号を正しく受信できないことになり、これはシステムスループット等の観点から好ましくない。
【００１３】
本発明の課題は、上りスケジューリング情報がユーザ装置で適切に受信されていれば、下りスケジューリング情報の受信状態によらず、上り信号が基地局置で適切に受信されるようにすることである。
【課題を解決するための手段】
【００１４】
本発明で使用される移動通信システムは、ユーザ装置と、前記ユーザ装置と通信を行う基地局装置とを有する。前記ユーザ装置は、下りリンクで第１の共有チャネルを受信する受信手段と、前記第１の共有チャネルの送達確認情報と第２の共有チャネルとを上りリンクで送信する送信手段とを有する。前記送信手段は、送達確認情報を要しない上り信号でも、送達確認情報用のビット領域に第２の共有チャネルがマッピングされることを禁止する。前記基地局装置は、下りリンクで前記第１の共有チャネルを送信する送信手段と、前記第１の共有チャネルの送達確認情報と第２の共有チャネルとを上りリンクで受信する受信手段と、送達確認情報用のビット領域以外にマッピングされた第２の共有チャネルを抽出及び復号する手段とを有する。
【発明の効果】
【００１５】
本発明によれば、下りスケジューリング情報の受信状態によらず、上りスケジューリング情報がユーザ装置で適切に受信されていれば、上り信号が基地局装置で適切に受信されるようにすることができる。
【発明を実施するための最良の形態】
【００１６】
下りリンクにおいて、第１の共有チャネルを受信する受信手段と、
上りリンクにおいて、前記第１の共有チャネルの送達確認情報と第２の共有チャネルとを送信する送信手段と、
を具備し、送達確認情報を要しない上り信号でも、送達確認情報用のビット領域に第２の共有チャネルがマッピングされることは禁止される
ことを特徴とする。
【００１７】
送達確認情報を要しない上り信号では、送達確認情報用のビット領域に、何らかのデータが存在することを示す電力を割り当てることが禁止されてもよい。
【００１８】
送達確認情報用のビット領域に、下り受信品質情報がマッピングされることが禁止されてもよい。
【００１９】
第２の共有チャネルを表す部分と送達確認情報を表す部分とが、時分割多重方式、周波数分割多重方式及び符号分割多重方式の内の１つ以上の方式で多重されてもよい。
【００２０】
前記第１の共有チャネルのための下りリンクの制御チャネルが送信されない場合に、
送達確認情報を要しない上り信号でも、送達確認情報用のビット領域に第２の共有チャネルがマッピングされることが禁止されてもよい。
【００２１】
前記第２の共有チャネルにパーシステントスケジューリングが適用されている場合に、
送達確認情報を要しない上り信号でも、送達確認情報用のビット領域に第２の共有チャネルがマッピングされることが禁止されてもよい。
【００２２】
前記第２の共有チャネルが再送される場合に、
送達確認情報を要しない上り信号でも、送達確認情報用のビット領域に第２の共有チャネルがマッピングされることが禁止されてもよい。
【００２３】
本発明の一形態によれば、移動通信システム内でユーザ装置と無線通信を行う基地局装置が使用される。基地局装置は、
下りリンクにおいて、第１の共有チャネルを送信する送信手段と、
上りリンクにおいて、前記第１の共有チャネルの送達確認情報と第２の共有チャネルとを受信する受信手段と、
送達確認情報用のビット領域以外にマッピングされた第２の共有チャネルを抽出及び復号する手段と、
を有することを特徴とする。
【００２４】
前記第１の共有チャネルのための下りリンクの制御チャネルが送信しない場合に、
送達確認情報用のビット領域以外にマッピングされた第２の共有チャネルを抽出及び復号してもよい。
【００２５】
前記第２の共有チャネルにパーシステントスケジューリングが適用されている場合に、
送達確認情報用のビット領域以外にマッピングされた第２の共有チャネルを抽出及び復号してもよい。
【００２６】
前記第２の共有チャネルが再送される場合に、
送達確認情報用のビット領域以外にマッピングされた第２の共有チャネルを抽出及び復号してもよい。
【００２７】
送達確認情報用のビット領域以外にマッピングされた下り受信品質情報を抽出及び復号してもよい。
【００２８】
前記第１の共有チャネルの送信後に受信された上り信号に送達確認情報が含まれているか否かを判定する判定手段が、基地局装置に備わっていてもよい。
【００２９】
前記判定手段により、前記送達確認情報の含まれていないことが確認された場合に、前記第１の共有チャネルを再送する再送手段が、基地局装置に備わっていてもよい。
【００３０】
上り信号の中で送達確認情報が含まれているかもしれない信号部分の受信信号品質により、前記判定手段による判定が行われてもよい。
【００３１】
本発明の一形態によれば、ユーザ装置と、前記ユーザ装置と通信を行う基地局装置とを有する移動通信システムが使用される。前記ユーザ装置は、
下りリンクで第１の共有チャネルを受信する受信手段と、
前記第１の共有チャネルの送達確認情報と第２の共有チャネルとを上りリンクで送信する送信手段と、
を有し、送達確認情報を要しない上り信号でも、送達確認情報用のビット領域に第２の共有チャネルがマッピングされることは禁止される。前記基地局装置は、
下りリンクで前記第１の共有チャネルを送信する送信手段と、
前記第１の共有チャネルの送達確認情報と第２の共有チャネルとを上りリンクで受信する受信手段と、
送達確認情報用のビット領域以外にマッピングされた第２の共有チャネルを抽出及び復号する手段と、
を有することを特徴とする。
【００３２】
本発明の一形態では、ユーザ装置と、前記ユーザ装置と通信を行う基地局装置とを有する移動通信システムで使用される方法が使用される。本方法は、
第１の共有チャネルが前記基地局装置から前記ユーザ装置に送信されるステップと、
第２の共有チャネルに加えて、前記第１の共有チャネルの送達確認情報が含まれるかもしれない上り信号が、前記ユーザ装置から前記基地局装置に送信されるステップと、
を有し、前記ユーザ装置では、送達確認情報を要しない上り信号でも、送達確認情報用のビット領域に第２の共有チャネルがマッピングされることは禁止される、
ことを特徴とする。
【００３３】
本発明の一形態によれば、送達確認情報のビット領域を常に確保することにより、下りスケジューリング情報がユーザ装置で適切に受信されなかったとしても、上りスケジューリング情報がユーザ装置で適切に受信されていれば、基地局装置は上りリンクで通常のデータ信号を正しく受信することができる。
【実施例１】
【００３４】
以下、本発明の実施例を図面を参照しつつ説明する。実施例を説明するための全図において、同一機能を有するものは同一符号を用い、繰り返しの説明は省略する。
【００３５】
図１を参照しながら、本発明の実施例に係る移動局及び基地局装置を有する無線通信システムについて説明する。
【００３６】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１００は、基地局装置（ｅＮＢ：  ｅＮｏｄｅ  Ｂ）２００と、基地局装置２００と通信する複数の移動局１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。移動局１００ｎはセル５０において基地局装置２００とＥｖｏｌｖｅｄ  ＵＴＲＡ  ａｎｄ  ＵＴＲＡＮにより通信を行っている。
【００３７】
各移動局（１００１、１００２、１００３、・・・１００ｎ）は、同一の構成、機能、状態を有するので、以下では特段の断りがない限り移動局１００ｎとして説明を進める。説明の便宜上、基地局装置と無線通信するのは移動局であるが、より一般的には移動端末も固定端末も含むユーザ装置（ＵＥ：  Ｕｓｅｒ  Ｅｑｕｉｐｍｅｎｔ）でよい。
【００３８】
無線通信システム１０００では、無線アクセス方式として、下りリンクについてはＯＦＤＭ（直交周波数分割多元接続）が、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。
【００３９】
ここで、Ｅｖｏｌｖｅｄ  ＵＴＲＡ  ａｎｄ  ＵＴＲＡＮにおける通信チャネルについて説明する。
【００４０】
下りリンクについては、各移動局１００ｎで共有される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、下りリンク制御チャネル(ＰＤＣＣＨ:  Ｐｈｙｓｉｃａｌ  Ｄｏｗｎｌｉｎｋ  Ｃｏｎｔｒｏｌ  Ｃｈａｎｎｅｌ。下りＬ１／Ｌ２制御チャネルとも呼ばれる)とが用いられる。上記物理下りリンク共有チャネルにより、ユーザデータ、すなわち、通常のデータ信号が伝送される。また、下りリンク制御チャネルにより、物理下りリンク共有チャネルを用いて通信を行うユーザのＩＤや、そのユーザデータのトランスポートフォーマットの情報、及び、物理上りリンク共有チャネルを用いて通信を行うユーザのＩＤや、そのユーザデータのトランスポートフォーマットの情報、物理上りリンク共有チャネルの送達確認情報などが通知される。
【００４１】
上りリンクについては、各移動局１００ｎで共有して使用される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と、上りリンク制御チャネルとが用いられる。上記物理上りリンク共有チャネルにより、ユーザデータ、すなわち、通常のデータ信号が伝送される。
【００４２】
また、上りリンク制御チャネルにより、下りリンクにおける共有物理チャネルのスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、物理下りリンク共有チャネルの送達確認情報（Ａｃｋｎｏｗｌｅｄｇｅｍｅｎｔ  Ｉｎｆｏｒｍａｔｉｏｎ）が伝送される。送達確認情報の内容は、送信信号が適切に受信されたことを示す肯定応答(ＡＣＫ：Ａｃｋｎｏｗｌｅｄｇｅｍｅｎｔ)又はそれが適切に受信されなかったことを示す否定応答(ＮＡＣＫ：Ｎｅｇａｔｉｖｅ  Ａｃｋｎｏｗｌｅｄｇｅｍｅｎｔ)の何れかで表現される。
【００４３】
上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステントスケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。
【００４４】
ここで、上りリンクの共有チャネルのリソース割り当てとは、あるサブフレームの下りＬ１／Ｌ２制御チャネルを用いて、後続のサブフレームにおいて上りリンクの共有チャネルを用いて通信を行ってよいことを基地局装置が移動局に通知することを意味する。
【００４５】
図２はＬＴＥにおけるチャネルマッピング例を示す。ＬＴＥにおいては、サブフレーム毎にリソース割当が管理され、ＰＵＳＣＨによりユーザデータが送信されるか否かに応じて、ＣＱＩや送達確認情報等のマッピングされる帯域は異なる。すなわち、そのサブフレームにおいて、ユーザデータが送信される場合には、ＣＱＩや送達確認情報等は、ユーザデータと同じ帯域で時間多重されて送信される（図２における５２０）。図２における５００は、ユーザデータが送信される領域を示す。そのサブフレームにおいて、ユーザデータが送信されない場合には、ＣＱＩや送達確認情報等は、システム帯域の両端に位置する物理上りリンク制御チャネル（Ｐｈｙｓｉｃａｌ  Ｕｐｌｉｎｋ  Ｃｏｎｔｒｏｌ  Ｃｈａｎｎｅｌ）を用いて送信される（図２における５１０）。ユーザデータを送信しないユーザの制御チャネル用に、システム帯域の一部が専用に設けられている。図中、＃０，＃１，＃２，＃３の各々は、或る移動局の送達確認情報等を含む制御チャネルを表す。これらの制御チャネルは、同一サブフレーム内で時間的に異なる周波数を利用して(周波数ホッピングを行って)伝送されるので、ダイバーシチ効果を高めることが期待できる。
【００４６】
尚、上述した説明では、ユーザデータが送信される場合のＣＱＩや送達確認情報等に関して、ＣＱＩや送達確認情報等を伝送する制御チャネルを定義し、その制御チャネルとＰＵＳＣＨが時間多重されていた。しかしながらその代わりに、ユーザデータが送信される場合のＣＱＩや送達確認情報等に関しては、ユーザデータを伝送するＰＵＳＣＨの一部として時間多重される構成が使用されてもよい。
【００４７】
図３はサブフレームの構成例を示す。上りリンク伝送では、１サブフレームに２つのスロットが含まれ、１スロット当たり７個のロングブロック（ＬＢ：  Ｌｏｎｇ  Ｂｌｏｃｋ）を用いることが検討されている。すなわち、１サブフレームは１４個のロングブロックにより構成される。上記１４個のロングブロックの内の２個のロングブロックには、データ復調用のリファレンス信号（Ｄｅｍｏｄｕｌａｔｉｏｎ  Ｒｅｆｅｒｅｎｃｅ  Ｓｉｇｎａｌ）がマッピングされる。リファレンス信号は、パイロットチャネル、トレーニングシーケンス等と言及されてもよく、送信側及び受信側で通信前に既知の信号パターンを表す信号又はチャネルである。図示されてはいないが、ロングブロックより持続時間の短いショートブロック（ＳＢ）を必要に応じて用いることも検討されている。データ復調用リファレンス信号は、そのリファレンス信号の受信状態に基づいて、受信信号の位相回転等のチャネル補償を行うための信号である。尚、上述のロングブロックは、ＳＣ−ＦＤＭＡシンボルと呼ばれてもよい。
【００４８】
また、上記１４個の内の、上述したデータ復調用リファレンス信号がマッピングされているロングブロック以外の１つのロングブロックにおいて、スケジューリングや上りリンクのＡＭＣ、ＴＰＣなど物理上りリンク共有チャネルの送信フォーマットの決定に用いられるサウンディング用のリファレンス信号（Ｓｏｕｎｄｉｎｇ  Ｒｅｆｅｒｅｎｃｅ  Ｓｉｇｎａｌ）が送信されることがある。上記サウンディング用リファレンス信号が送信されるロングブロックにおいては、符号分割多重化（ＣＤＭ：Ｃｏｄｅ  Ｄｉｖｉｓｉｏｎ  Ｍｕｌｔｉｐｌｅｘｉｎｇ）方式により複数の移動局からのサウンディング用リファレンス信号が多重される。上記データ復調用リファレンス信号は、例えば、１サブフレーム内の４番目のロングブロックと１１番目のロングブロックにマッピングされてもよい。また、上記サウンディング用リファレンス信号は、例えば、１サブフレーム内の１番目のロングブロックにマッピングされる。そして、上記データ復調用リファレンス信号と上記サウンディング用リファレンス信号がマッピングされていないロングブロックに、ユーザデータや、ＣＱＩや送達確認情報等がマッピングされる。サウンディング用リファレンス信号は、基地局装置でのスケジューリング（上下リンクに対するリソースブロックの割当、上り送信電力の調整等）を行うために使用される。
【００４９】
本発明の実施例は、当該サブフレームにおいてユーザデータが送信される場合の、ＣＱＩや送達確認情報とユーザデータとのマッピング方法に関連し、以下にさらに詳しく説明する。
【００５０】
図４は送達確認情報、ＣＱＩ及びユーザデータの送信パターンを示す。ＣＱＩは所定の報告周期に基づいて移動局１００nから基地局装置２００に送信されるため、ＣＱＩが送信されるサブフレームと、ＣＱＩが送信されないサブフレームが存在する。どのサブフレームにＣＱＩが含まれているかは、報告周期が既知なので基地局装置で予測可能である。送達確認情報は、所定のタイミングで下りリンクの共有チャネルを受信した場合にのみ送信されるため、送達確認情報が送信されるサブフレームと、送達確認情報が送信されないサブフレームが存在する。基地局装置からの送信タイミングと送達確認情報の受信タイミングとの時間間隔は、システムで固定的に決定されていてもよいし、基地局装置がその都度移動局に通知してもよい。いずれにせよ、基地局装置はＣＱＩや送達確認情報がどのサブフレームに含まれているべきかを知っている。
【００５１】
まとめると、あるサブフレームにおいてユーザデータが送信される場合、ＣＱＩや送達確認情報の有無により、図４に示される４通りの送信パターンが考えられる。すなわち、当該サブフレームにおいてユーザデータのみが送信される送信パターン（パターン１）と、当該サブフレームにおいてユーザデータと送達確認情報とが送信される送信パターン(パターン２)と、当該サブフレームにおいてユーザデータとＣＱＩとが送信される送信パターン(パターン３)と、当該サブフレームにおいてユーザデータと送達確認情報とＣＱＩとが送信される送信パターン(パターン４)とが存在する。
【００５２】
図５は各送信パターンでのチャネルマッピング例を示す。すなわち、４通りの送信パターンのそれぞれに関して、ユーザデータ、送達確認情報、ＣＱＩのビットマッピング例が示されている。ここで、図５は、図３に示したサブフレームのロングブロックＬＢの内、ユーザデータ、ＣＱＩ、送達確認情報等がマッピングされるロングブロックのみ抽出し、それを１つの連続したビットマッピングの領域として示している。図示されるビットマッピングに基づいて、ユーザデータや送達確認情報、ＣＱＩが移動局から基地局装置に対して送信される。
【００５３】
図５に示されるパターン１においては、当該サブフレームにおいてユーザデータのみが送信され、送達確認情報もＣＱＩも送信されない。にもかかわらず、ユーザデータがマッピングされるビット領域に加えて、送達確認情報がマッピングされてもよいビット領域が敢えて設けられている。送信すべき送達確認情報は存在しないため、このビット領域は有意の情報を含まない、すなわち如何なる信号もマッピングされない（間欠的な送信(ＤＴＸ)における間欠期間に相当する）。より一般的には、このビット領域については、何らかのデータが存在することを示す電力が割り当てられることは禁止される。
【００５４】
パターン２においては、当該サブフレームにおいてユーザデータと送達確認情報は送信されるが、ＣＱＩは送信されない。このため、ユーザデータがマッピングされるビット領域と送達確認情報がマッピングされるビット領域が設けられている。この場合、送信すべき送達確認情報として肯定応答(ＡＣＫ)及び否定応答(ＮＡＣＫ）が存在し、該当する下りリンクの共有チャネルＤＬ−ＳＣＨのＣＲＣチェック結果に基づき、それらの内の一方がマッピングされる。すなわち、該当する下りリンクの共有チャネルＤＬ−ＳＣＨを正しく受信できた場合（ＣＲＣチェック結果がＯＫの場合）にはＡＣＫがマッピングされ、該当する下りリンクの共有チャネルＤＬ−ＳＣＨを正しく受信できなかった場合（ＣＲＣチェック結果がＮＧの場合）にはＮＡＣＫがマッピングされる。ACK又はNACKの一方には、例えば「＋１」の信号成分に対応する電力がマッピングされ、他方には「−１」の信号成分に対応する電力がマッピングされる。上記のDTXにおける部分には「０」に対応する電力がマッピングされ、その部分には何らのデータも存在しないことが反映される。
【００５５】
パターン３においては、当該サブフレームにおいてユーザデータとＣＱＩは送信されるが送達確認情報は送信されない。にもかかわらず、ユーザデータがマッピングされるビット領域及びＣＱＩがマッピングされるビット領域に加えて、送達確認情報がマッピングされてもよいビット領域が設けられている。この場合、送信すべき送達確認情報が存在しないため、このビット領域にはデータがマッピングされない（ＤＴＸ）。
【００５６】
パターン４においては、当該サブフレームにおいてユーザデータと送達確認情報とＣＱＩが送信され、ユーザデータがマッピングされるビット領域と送達確認情報がマッピングされるビット領域とＣＱＩがマッピングされるビット領域とが設けられている。この場合、送信すべき送達確認情報として、ＡＣＫとＮＡＣＫが存在し、該当する下りリンクの共有チャネルＤＬ−ＳＣＨのＣＲＣチェック結果に基づき、それらの内の一方がマッピングされる。すなわち、該当する下りリンクの共有チャネルＤＬ−ＳＣＨを正しく受信できた場合（ＣＲＣチェック結果がＯＫの場合）にはＡＣＫがマッピングされ、該当する下りリンクの共有チャネルＤＬ−ＳＣＨを正しく受信できなかった場合（ＣＲＣチェック結果がＮＧの場合）にはＮＡＣＫがマッピングされる。
【００５７】
尚、上述した例においては、送達確認情報がマッピングされるビット領域は、常に先頭に存在している。このように、送達確認情報がマッピングされるビット領域を先頭に設けることにより、ＣＱＩが送信されるか否かに依らず、全てのサブフレームにおいて、送達確認情報がマッピングされるビット領域が固定されるため、基地局装置の受信処理が簡易になる。しかしながら、送達確認情報がマッピングされるビット領域は、常に先頭に存在する必要はなく、先頭以外の場所であってもよい。
【００５８】
さらに、上述した例においては、送達確認情報、ＣＱＩ、ユーザデータの多重をビットレベルで行ったが、同様のマッピング処理をシンボルレベルで行ってもよい。すなわち、送達確認情報が送信される／されないに関係なく、送達確認情報のシンボル領域を確保して、送達確認情報、ＣＱＩ、ユーザデータのシンボルマッピングを行ってもよい。尚、ビットからシンボルに変調する場合には、例えば、ＢＰＳＫやＱＰＳＫ、１６ＱＡＭ、６４ＱＡＭ等を用いることができる。
【００５９】
図５に示されるようにＬＴＥでは、ＣＱＩや送達確認情報とユーザデータが時間多重されるため、時間方向にビットがマッピングされている場合を示したが、その代わりに又は追加的に、周波数方向に（ＦＤＭ）及び／又はコード方向に（ＣＤＭ）ビットがマッピングされていてもよい。
【００６０】
尚、上述した例においては、上りリンク制御チャネルにおいて、ＣＱＩと送達確認情報が送信される場合を示したが、上記ＣＱＩと送達確認情報に加えて、スケジューリング要求やリリース要求等が送信されてもよい。この場合にも、本発明に係る実施例においては、送達確認情報がマッピングされるビット領域は常に設定される。
【００６１】
尚、上述した図４および図５で示した、ユーザデータと送達確認情報とCQIのビットマッピング方法は、ユーザデータの初回送信時に適用されてもよいし、ユーザデータの再送時に適用されてもよい。すなわち、上記ビットマッピング方法は、ユーザデータの初回送信時とユーザデータの再送時の両方に適用されてもよいし、ユーザデータの初回送信時とユーザデータの再送時のどちらかに適用されてもよい。
【００６２】
あるいは、上述した図４および図５で示した、ユーザデータと送達確認情報とCQIのビットマッピング方法は、下りリンク制御チャネルにより、物理上りリンク共有チャネルを用いて通信を行うユーザのＩＤや、そのユーザデータのトランスポートフォーマットの情報が通知された場合に適用されてもよいし、下りリンク制御チャネルにより、物理上りリンク共有チャネルを用いて通信を行うユーザのＩＤや、そのユーザデータのトランスポートフォーマットの情報が通知されなかった場合に適用されてもよい。すなわち、上記ビットマッピング方法は、物理上りリンク共有チャネルを用いて通信を行うユーザのＩＤや、そのユーザデータのトランスポートフォーマットの情報が通知された場合と、通知されなかった場合の両方に適用されてもよいし、物理上りリンク共有チャネルを用いて通信を行うユーザのＩＤや、そのユーザデータのトランスポートフォーマットの情報が通知された場合と、通知されなかった場合のどちらかにのみ適用されてもよい。ここで、「下りリンク制御チャネルにより、物理上りリンク共有チャネルを用いて通信を行うユーザのＩＤや、そのユーザデータのトランスポートフォーマットの情報が通知されなかった場合」とは、例えば、ユーザデータが再送される場合のことを指す。
【００６３】
あるいは、前記「下りリンク制御チャネルにより、物理上りリンク共有チャネルを用いて通信を行うユーザのＩＤや、そのユーザデータのトランスポートフォーマットの情報が通知されなかった場合」とは、パーシステントスケジューリングが適用されている上りリンクの共有チャネルが送信される場合のことであってもよい。ここで、パーシステントスケジューリングとは、データ種別、あるいは、データを送受信するアプリケーションの特徴に応じて、一定周期毎にデータの送信機会を割り当てるスケジューリング方法である。すなわち、パーシステントスケジューリングが適用される上りリンク共有チャネル（ＵＬ−ＳＣＨ）は、該ユーザ装置から基地局装置に対して所定のサブフレームにおいて上りリンクの共有チャネルが送信され、その場合の送信フォーマット、すなわち、周波数リソースであるリソースブロックの割り当て情報や変調方式、ペイロードサイズ、Ｒｅｄｕｎｄａｎｃｙ  ｖｅｒｓｉｏｎパラメータやプロセス番号等のＨＡＲＱに関する情報等は、所定の値が設定される。すなわち、予め決められたサブフレームにおいて共有チャネル（無線リソース）が割り当てられ、予め決められた送信フォーマットで上りリンク共有チャネル（ＵＬ−ＳＣＨ）が送信される。上記予め決められたサブフレームは、例えば、一定の周期となるように設定されてもよい。また、上記予め決められた送信フォーマットは、一種類である必要はなく、複数の種類が存在してもよい。
【００６４】
パーシステントスケジューリングが適用される場合には、下りリンクにおいて、下りＬ１／Ｌ２制御チャネルを用いないパーシステントスケジューリングによるリソースの割り当てと、ダイナミックスケジューリングによるリソースの割り当てが行われる。ここで、ダイナミックスケジューリングとは、下りＬ１／Ｌ２制御チャネルを用いて下りリンクの共有チャネルのリソースが割り当てられるスケジューリング方法である。よって、パーシステントスケジューリングが適用される場合にも、上述した図４および図５で示した、ユーザデータと送達確認情報とCQIのビットマッピング方法が適用されることにより、下りＬ１／Ｌ２制御チャネルが誤った場合と誤らなかった場合とで、ユーザデータのマッピングされる位置が変わるという問題を防ぐことが可能となる。
【００６５】
あるいは、上述した図４および図５で示した、ユーザデータと送達確認情報とCQIのビットマッピング方法は、ユーザデータの再送時であり、かつ、下りリンク制御チャネルにより、物理上りリンク共有チャネルを用いて通信を行うユーザのＩＤや、そのユーザデータのトランスポートフォーマットの情報が通知されなかった場合に適用されてもよい。
【００６６】
ところで、下りリンクにおいて、ＭＩＭＯを適用する場合には、上りリンクにおいて送信する、下りリンクの共有チャネルに対する送達確認情報は２ビット以上になる場合がある。また、上記送達確認情報のビット数は、一般に、下りリンクの無線品質に基づいて変わりうる値である。例えば、無線品質が良い場合に２ビットになり、無線品質が悪い場合に１ビットになるといったことが考えられる。この場合、移動局１００ｎと基地局装置２００との間で、送達確認情報のビット数の不一致を防ぐため、取りうるビット数の最大値に基づいて、上記送達確認情報のビット領域を確保してもよい。例えば、送達確認情報のビット数として１ビットと２ビットの２種類が存在する場合には、常に２ビットを送達確認情報のためのビット領域として確保して、上述した図５で示したビットマッピング方法を適用してもよい。
【００６７】
図１３及び図１４を用いて、この場合のビットマッピングの例の詳細を示す。同図においては、送達確認情報が最大で２個送信される場合を想定し、１つ目の送達確認情報をＡＣＫ／ＮＡＣＫ（１）（送達確認情報（１））と記載し、２つ目の送達確認情報をＡＣＫ／ＮＡＣＫ（２）（送達確認情報（１））と記載する。
【００６８】
図１３に示されるパターン１においては、当該サブフレームにおいてユーザデータのみが送信され、送達確認情報（１）も送達確認情報（２）もＣＱＩも送信されない。にもかかわらず、ユーザデータがマッピングされるビット領域に加えて、送達確認情報（１）及び送達確認情報（２）がマッピングされてもよいビット領域が敢えて設けられている。送信すべき送達確認情報は存在しないため、このビット領域は有意の情報を含まない、すなわち如何なる信号もマッピングされない（間欠的な送信(ＤＴＸ)における間欠期間に相当する）。より一般的には、このビット領域については、何らかのデータが存在することを示す電力が割り当てられることは禁止される。
【００６９】
パターン２においては、当該サブフレームにおいてユーザデータと送達確認情報（１）は送信されるが、ＣＱＩは送信されない。にもかかわらず、ユーザデータがマッピングされるビット領域と送達確認情報（１）がマッピングされるビット領域に加えて、送達確認情報（２）がマッピングされてもよいビット領域が敢えて設けられている。この場合、送達確認情報（１）のビット領域においては、送信すべき送達確認情報として肯定応答(ＡＣＫ)及び否定応答(ＮＡＣＫ）が存在し、該当する下りリンクの共有チャネルＤＬ−ＳＣＨのＣＲＣチェック結果に基づき、それらの内の一方がマッピングされる。すなわち、該当する下りリンクの共有チャネルＤＬ−ＳＣＨを正しく受信できた場合（ＣＲＣチェック結果がＯＫの場合）にはＡＣＫがマッピングされ、該当する下りリンクの共有チャネルＤＬ−ＳＣＨを正しく受信できなかった場合（ＣＲＣチェック結果がＮＧの場合）にはＮＡＣＫがマッピングされる。ACK又はNACKの一方には、例えば「＋１」の信号成分に対応する電力がマッピングされ、他方には「−１」の信号成分に対応する電力がマッピングされる。上記のDTXにおける部分には「０」に対応する電力がマッピングされ、その部分には何らのデータも存在しないことが反映される。一方、送達確認情報（２）に関しては、送信すべき送達確認情報は存在しないため、このビット領域は有意の情報を含まない、すなわち如何なる信号もマッピングされない（間欠的な送信(ＤＴＸ)における間欠期間に相当する）。より一般的には、このビット領域については、何らかのデータが存在することを示す電力が割り当てられることは禁止される。
【００７０】
パターン３においては、当該サブフレームにおいてユーザデータと送達確認情報（１）と送達確認情報（２）は送信されるが、ＣＱＩは送信されない。このため、ユーザデータがマッピングされるビット領域と送達確認情報（１）と送達確認情報（２）がマッピングされるビット領域が設けられている。この場合、送信すべき送達確認情報（１）および送達確認情報（２）として、それぞれ肯定応答(ＡＣＫ)及び否定応答(ＮＡＣＫ）が存在し、該当する下りリンクの共有チャネルＤＬ−ＳＣＨのＣＲＣチェック結果に基づき、それらの内の一方がマッピングされる。すなわち、送達確認情報（１）と送達確認情報（２）のそれぞれに関して、該当する下りリンクの共有チャネルＤＬ−ＳＣＨを正しく受信できた場合（ＣＲＣチェック結果がＯＫの場合）にはＡＣＫがマッピングされ、該当する下りリンクの共有チャネルＤＬ−ＳＣＨを正しく受信できなかった場合（ＣＲＣチェック結果がＮＧの場合）にはＮＡＣＫがマッピングされる。ACK又はNACKの一方には、例えば「＋１」の信号成分に対応する電力がマッピングされ、他方には「−１」の信号成分に対応する電力がマッピングされる。
【００７１】
図１４のパターン４においては、当該サブフレームにおいてユーザデータとＣＱＩは送信されるが送達確認情報（１）および送達確認情報（２）は送信されない。にもかかわらず、ユーザデータがマッピングされるビット領域及びＣＱＩがマッピングされるビット領域に加えて、送達確認情報（１）および送達確認情報（２）がマッピングされてもよいビット領域が設けられている。この場合、送信すべき（１）および送達確認情報（２）が存在しないため、このビット領域にはデータがマッピングされない（ＤＴＸ）。より一般的には、このビット領域については、何らかのデータが存在することを示す電力が割り当てられることは禁止される。  パターン５においては、当該サブフレームにおいてユーザデータと送達確認情報（１）とＣＱＩは送信されるが、送達確認情報（２）は送信されない。にもかかわらず、ユーザデータがマッピングされるビット領域とＣＱＩがマッピングされるビット領域と送達確認情報（１）がマッピングされるビット領域に加えて、送達確認情報（２）がマッピングされてもよいビット領域が敢えて設けられている。この場合、送達確認情報（１）のビット領域においては、送信すべき送達確認情報として肯定応答(ＡＣＫ)及び否定応答(ＮＡＣＫ）が存在し、該当する下りリンクの共有チャネルＤＬ−ＳＣＨのＣＲＣチェック結果に基づき、それらの内の一方がマッピングされる。すなわち、該当する下りリンクの共有チャネルＤＬ−ＳＣＨを正しく受信できた場合（ＣＲＣチェック結果がＯＫの場合）にはＡＣＫがマッピングされ、該当する下りリンクの共有チャネルＤＬ−ＳＣＨを正しく受信できなかった場合（ＣＲＣチェック結果がＮＧの場合）にはＮＡＣＫがマッピングされる。ACK又はNACKの一方には、例えば「＋１」の信号成分に対応する電力がマッピングされ、他方には「−１」の信号成分に対応する電力がマッピングされる。上記のDTXにおける部分には「０」に対応する電力がマッピングされ、その部分には何らのデータも存在しないことが反映される。一方、送達確認情報（２）に関しては、送信すべき送達確認情報は存在しないため、このビット領域は有意の情報を含まない、すなわち如何なる信号もマッピングされない（間欠的な送信(ＤＴＸ)における間欠期間に相当する）。より一般的には、このビット領域については、何らかのデータが存在することを示す電力が割り当てられることは禁止される。
【００７２】
パターン６においては、当該サブフレームにおいてユーザデータと送達確認情報（１）及び送達確認情報（２）とＣＱＩが送信される。この場合、送信すべき送達確認情報（１）および送達確認情報（２）として、それぞれＡＣＫとＮＡＣＫが存在し、該当する下りリンクの共有チャネルＤＬ−ＳＣＨのＣＲＣチェック結果に基づき、それらの内の一方がマッピングされる。すなわち、送達確認情報（１）と送達確認情報（２）のそれぞれに関して、該当する下りリンクの共有チャネルＤＬ−ＳＣＨを正しく受信できた場合（ＣＲＣチェック結果がＯＫの場合）にはＡＣＫがマッピングされ、該当する下りリンクの共有チャネルＤＬ−ＳＣＨを正しく受信できなかった場合（ＣＲＣチェック結果がＮＧの場合）にはＮＡＣＫがマッピングされる。ACK又はNACKの一方には、例えば「＋１」の信号成分に対応する電力がマッピングされ、他方には「−１」の信号成分に対応する電力がマッピングされる。
【００７３】
尚、送達確認情報のビット数は１ビットや２ビットに限定される必要はなく、３ビット以上であってもよい。
【００７４】
また、ＭＩＭＯが適用される場合にも、図４、５の場合に示したように、ユーザデータと送達確認情報とCQIのビットマッピング方法は、ユーザデータの初回送信時に適用されてもよいし、ユーザデータの再送時に適用されてもよい。すなわち、上記ビットマッピング方法は、ユーザデータの初回送信時とユーザデータの再送時の両方に適用されてもよいし、ユーザデータの初回送信時とユーザデータの再送時のどちらかに適用されてもよい。
【００７５】
あるいは、上述した図１３および図１４で示した、ユーザデータと送達確認情報とCQIのビットマッピング方法は、下りリンク制御チャネルにより、物理上りリンク共有チャネルを用いて通信を行うユーザのＩＤや、そのユーザデータのトランスポートフォーマットの情報が通知された場合に適用されてもよいし、下りリンク制御チャネルにより、物理上りリンク共有チャネルを用いて通信を行うユーザのＩＤや、そのユーザデータのトランスポートフォーマットの情報が通知されなかった場合に適用されてもよい。すなわち、上記ビットマッピング方法は、物理上りリンク共有チャネルを用いて通信を行うユーザのＩＤや、そのユーザデータのトランスポートフォーマットの情報が通知された場合と、通知されなかった場合の両方に適用されてもよいし、物理上りリンク共有チャネルを用いて通信を行うユーザのＩＤや、そのユーザデータのトランスポートフォーマットの情報が通知された場合と、通知されなかった場合のどちらかにのみ適用されてもよい。ここで、「下りリンク制御チャネルにより、物理上りリンク共有チャネルを用いて通信を行うユーザのＩＤや、そのユーザデータのトランスポートフォーマットの情報が通知されなかった場合」とは、例えば、ユーザデータが再送される場合のことを指す。
【００７６】
あるいは、上述した図１３および図１４で示した、ユーザデータと送達確認情報とCQIのビットマッピング方法は、ユーザデータの再送時であり、かつ、下りリンク制御チャネルにより、物理上りリンク共有チャネルを用いて通信を行うユーザのＩＤや、そのユーザデータのトランスポートフォーマットの情報が通知されなかった場合に適用されてもよい。
【００７７】
このように、送達確認情報が送信されるか否かに関係なく、送達確認情報のマッピングされるビット領域が常に設けられる。下りＬ１／Ｌ２制御チャネルが誤った場合と誤らなかった場合とで、ユーザデータのマッピングされる位置は変わらないため、基地局装置は何れの場合でも正しくユーザデータの復調及び復号を行うことが可能となる。
【００７８】
図６を参照しながら、本発明の実施例に係る移動局１００ｎについて説明する。
【００７９】
同図において、移動局１００ｎは、送受信アンテナ１０２と、アンプ部１０４と、送受信部１０６と、ベースバンド信号処理部１０８と、アプリケーション部１１０とを具備する。
【００８０】
下りリンクのデータについては、送受信アンテナ１０２で受信された無線周波数信号がアンプ部１０４で増幅され、送受信部１０６で周波数変換されてベースバンド信号に変換される。このベースバンド信号は、ベースバンド信号処理部１０８でＦＦＴ処理や、誤り訂正復号、再送制御の受信処理等がなされる。上記下りリンクのデータの内、下りリンクのユーザデータは、アプリケーション部１１０に転送される。アプリケーション部１１０は、物理レイヤーやＭＡＣレイヤーより上位のレイヤーに関する処理等を行う。
【００８１】
一方、上りリンクのユーザデータについては、アプリケーション部１１０からベースバンド信号処理部１０８に入力される。ベースバンド信号処理部１０８では、再送制御（Ｈ−ＡＲＱ  （Ｈｙｂｒｉｄ  ＡＲＱ））の送信処理や、チャネル符号化、ＩＦＦＴ処理等が行われて送受信部１０６に転送される。送受信部１０６では、ベースバンド信号処理部１０８から出力されたベースバンド信号を無線周波数帯に変換する周波数変換処理が施され、その後、アンプ部１０４で増幅されて送受信アンテナ１０２より送信される。
【００８２】
図７を参照しながら、ベースバンド信号処理部１０８の構成について説明する。
【００８３】
ベースバンド信号処理部１０８は、レイヤー１処理部１０８１と、ＭＡＣ（Ｍｅｄｉｕｍ  Ａｃｃｅｓｓ  Ｃｏｎｔｒｏｌ）処理部１０８２とを備える。
【００８４】
レイヤー１処理部１０８１では、下りリンクで受信される信号のチャネル復号化やＦＦＴ処理などが行われる。
【００８５】
また、レイヤー１処理部１０８１は、下りリンクの受信信号に含まれる、下りリンク制御チャネルである下りＬ１／Ｌ２制御チャネルの復調・復号を行い、その復号結果をＭＡＣ処理部１０８２に送信する。
【００８６】
また、レイヤー１処理部１０８１は、下りリファレンス信号（ＤＬ−ＲＳ：Ｄｏｎｗｌｉｎｋ  Ｒｅｆｅｒｅｎｃｅ  Ｓｉｇｎａｌ）の受信信号品質を測定する。受信信号品質は、例えば希望信号電力対非希望信号電力の比率で表現されてよく、例えばＳＩＲ（Ｓｉｇｎａｌ−ｔｏ−Ｉｎｔｅｆｅｒｅｎｃｅ  Ｒａｔｉｏ）で表現されてよい。例えばＳＩＲを表現する数値範囲が所定数個に区分けされ、ＳＩＲの測定値がどの区域に属するかに応じてＣＱＩが導出されてもよい。ＣＱＩは、所定の報告周期に合わせて用意され、その周期に該当するサブフレームでＣＱＩが送信される。
【００８７】
さらに、レイヤー１処理部１０８１は、当該サブフレームにおいて送達確認情報を送信する場合には、送達確認情報生成部１０８４から送達確認情報を受け取り、当該サブフレームにおいてユーザデータを送信する場合には、ＭＡＣ処理部１０８２からユーザデータを受け取る。  
そして、レイヤー１処理部１０８１は、上記ＣＱＩと、上記送達確認情報と、上記ユーザデータに関して、符号化やデータ変調及びビットマッピング等の処理やＤＦＴ処理、サブキャリアマッピング処理、ＩＦＦＴ処理等を行い、それらをベースバンド信号として送受信部に送信する。
【００８８】
レイヤー１処理部１０８１は、ユーザデータを送信しない場合で、かつ、送達確認情報またはＣＱＩを送信する場合に、送達確認情報またはＣＱＩを、システム帯域の両端に専用に用意されたチャネル(ＰＵＣＣＨ：Ｐｈｙｓｉｃａｌ  Ｕｐｌｉｎｋ  Ｃｏｎｔｒｏｌ  Ｃｈａｎｎｅｌ）にマッピングする処理を行う。
【００８９】
また、レイヤー１処理部１０８１は、ユーザデータを送信する場合に、図５で示したように、４通りの送信パターンのそれぞれにおいて、それぞれのビットマッピング方法を用いて、ユーザデータと送達確認情報とＣＱＩのビットマッピングを行う。ビットマッピングの詳細は、上述した内容と同一であるため省略する。
【００９０】
レイヤー１処理部１０８１は、図５、図１３及び図１４で示したユーザデータと送達確認情報とCQIのビットマッピング方法を、ユーザデータの初回送信時に用いてもよいし、ユーザデータの再送時に用いてもよい。すなわち、レイヤー１処理部１０８１は、上記ビットマッピング方法を、ユーザデータの初回送信時とユーザデータの再送時の両方に用いてもよいし、ユーザデータの初回送信時とユーザデータの再送時のどちらかにのみ用いてもよい。
【００９１】
あるいは、レイヤー１処理部１０８１は、図５等で示した、ユーザデータと送達確認情報とCQIのビットマッピング方法を、下りリンク制御チャネルにより、物理上りリンク共有チャネルを用いて通信を行うユーザのＩＤや、そのユーザデータのトランスポートフォーマットの情報が通知された場合に用いてもよいし、下りリンク制御チャネルにより、物理上りリンク共有チャネルを用いて通信を行うユーザのＩＤや、そのユーザデータのトランスポートフォーマットの情報が通知されなかった場合に用いてもよい。すなわち、レイヤー１処理部１０８１は、上記ビットマッピング方法を、物理上りリンク共有チャネルを用いて通信を行うユーザのＩＤや、そのユーザデータのトランスポートフォーマットの情報が通知された場合と、通知されなかった場合の両方において用いてもよいし、物理上りリンク共有チャネルを用いて通信を行うユーザのＩＤや、そのユーザデータのトランスポートフォーマットの情報が通知された場合と、通知されなかった場合のどちらかにおいてのみ用いてもよい。ここで、「下りリンク制御チャネルにより、物理上りリンク共有チャネルを用いて通信を行うユーザのＩＤや、そのユーザデータのトランスポートフォーマットの情報が通知されなかった場合」とは、例えば、ユーザデータが再送される場合のことを指す。
【００９２】
あるいは、前記「下りリンク制御チャネルにより、物理上りリンク共有チャネルを用いて通信を行うユーザのＩＤや、そのユーザデータのトランスポートフォーマットの情報が通知されなかった場合」とは、パーシステントスケジューリングが適用されている上りリンクの共有チャネルが送信される場合のことであってもよい。
【００９３】
あるいは、レイヤー１処理部１０８１は、図５等で示した、ユーザデータと送達確認情報とCQIのビットマッピング方法を、上りリンクのユーザデータの再送時であり、かつ、下りリンク制御チャネルにより、物理上りリンク共有チャネルを用いて通信を行うユーザのＩＤや、そのユーザデータのトランスポートフォーマットの情報が通知されなかった場合に用いてもよい。
【００９４】
ＭＡＣ処理部１０８２は、レイヤー１処理部１０８１より受信した下りＬ１／Ｌ２制御チャネルの復号結果に基づき、上りリンクのユーザデータの送信フォーマットの決定や、ＭＡＣレイヤーにおける再送制御等の送信処理を行う。すなわち、レイヤー１処理部１０８１より受信した下りＬ１／Ｌ２制御チャネルにおいて、上りリンクにおいて共有チャネルを用いた通信を行うことが許可された場合には、送信するユーザデータに関して、送信フォーマットの決定や再送制御等の送信処理を行い、そのユーザデータをレイヤー１処理部１０８１に与える。レイヤー１処理部１０８１より受信した下りＬ１／Ｌ２制御チャネルにおいて、上りリンクにおいて共有チャネルを用いた通信を行うことが許可されていなかった場合には、ユーザデータを送信しない場合の処理が行われる。
【００９５】
また、ＭＡＣ処理部１０８２は、レイヤー１処理部１０８１より受信した下りＬ１／Ｌ２制御チャネルの復号結果に基づき、下りリンクのユーザデータのＭＡＣ再送制御の受信処理等を行う。すなわち、下りリンクにおいて共有チャネルを用いた通信を行うことが通知されている場合には、受信したユーザデータに関して復号を行い、上記ユーザデータの信号が誤っているか否かのＣＲＣチェックを行う。そして、上記ＣＲＣチェックの結果に基づいて送達確認情報を生成し、レイヤー１処理部１０８１に通知する。ＣＲＣチェックの結果がＯＫの場合には送達確認情報として肯定応答信号ＡＣＫを生成し、ＣＲＣチェックの結果がＮＧの場合には送達確認情報として否定応答信号ＮＡＣＫを生成する。
【００９６】
尚、ＭＡＣ処理部１０８２は、レイヤー１処理部１０８１より受信した下りＬ１／Ｌ２制御チャネルにより、下りリンクにおいて共有チャネルを用いた通信を行うことが通知されていなかった場合には、下りユーザデータの受信を行わない処理が行われる。その結果、送達確認情報の通知等を行うための処理は行われない。この場合、レイヤー１処理部１０８１は、次回上りリンクで送信すべき送達確認情報は存在しないと判断する。
【００９７】
図８を参照しながら、本発明の実施例に係る基地局装置２００について説明する。
【００９８】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。
【００９９】
下りリンクにより基地局装置２００から移動局１００ｎに送信されるユーザデータは、基地局装置２００の上位に位置する上位局、例えばアクセスゲートウェイ装置３００から伝送路インターフェース２１２を介してベースバンド信号処理部２０８に入力される。
【０１００】
ベースバンド信号処理部２０８では、ユーザデータの分割・結合、ＲＬＣ（ｒａｄｉｏ  ｌｉｎｋ  ｃｏｎｔｒｏｌ）再送制御の送信処理などのＲＬＣレイヤーの送信処理、ＭＡＣ（Ｍｅｄｉｕｍ  Ａｃｃｅｓｓ  Ｃｏｎｔｒｏｌ）再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、下りリンク制御チャネルである下りＬ１／Ｌ２制御チャネルの信号に関しても、チャネル符号化や逆高速フーリエ変更等の送信処理が行われて、送受信部２０６に転送される。
【０１０１】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。
【０１０２】
一方、上りリンクにより移動局１００ｎおよび移動局１１０ｍから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。
【０１０３】
ベースバンド信号処理部２０８では、入力されたベースバンド信号に含まれるユーザデータに対して、ＦＦＴ処理、誤り訂正復号、ＭＡＣ再送制御の受信処理、ＲＬＣレイヤーの受信処理がなされ、伝送路インターフェース２１２を介してアクセスゲートウェイ装置３００に転送される。
【０１０４】
また、ベースバンド信号処理部２０８は、後述するように、過去に送信した下り共有チャネルに対する送達確認情報の有無を判定するために、受信信号中の所定の部分の電力判定を行い、移動局が実際に送達確認情報を送信したか否かの判定を行う。この判定結果に基づいて、ＭＡＣ再送制御の送信処理が行われる。
【０１０５】
呼処理部２１０は、通信チャネルの設定や解放等の呼処理や、無線基地局２００の状態管理や、無線リソースの管理を行う。
【０１０６】
図９を参照しながら、ベースバンド信号処理部２０８の構成について説明する。
【０１０７】
ベースバンド信号処理部２０８は、レイヤー１処理部２０８１と、ＭＡＣ処理部２０８２と、ＲＬＣ処理部２０８３とを備える。
【０１０８】
ベースバンド信号処理部２０８におけるレイヤー１処理部２０８１とＭＡＣ処理部２０８２と呼処理部２１０とは、互いに接続されている。
【０１０９】
レイヤー１処理部２０８１では、下りリンクで送信されるデータのチャネル符号化やＩＦＦＴ処理、上りリンクで送信されるデータのチャネル復号化やＦＦＴ処理などが行われる。
【０１１０】
レイヤー処理部２０８１は、物理下りリンク共有チャネルを用いて通信を行うユーザのＩＤや、そのユーザデータのトランスポートフォーマットの情報、及び、物理上りリンク共有チャネルを用いて通信を行うユーザのＩＤや、そのユーザデータのトランスポートフォーマットの情報をＭＡＣ処理部２０８２から受け取る。また、レイヤー処理部２０８１は、上記物理下りリンク共有チャネルを用いて通信を行うユーザのＩＤや、そのユーザデータのトランスポートフォーマットの情報、及び、物理上りリンク共有チャネルを用いて通信を行うユーザのＩＤや、そのユーザデータのトランスポートフォーマットの情報に対して、チャネル符号化やＩＦＦＴ処理等の送信処理を行う。上記物理下りリンク共有チャネルを用いて通信を行うユーザのＩＤや、そのユーザデータのトランスポートフォーマットの情報、及び、物理上りリンク共有チャネルを用いて通信を行うユーザのＩＤや、そのユーザデータのトランスポートフォーマットの情報は、下りリンク制御チャネルである下りＬ１／Ｌ２制御チャネルにマッピングされる。
【０１１１】
また、レイヤー１処理部２０８１は、上りリンクで送信される上りリンク制御チャネルにマッピングされるＣＱＩや送達確認情報の復調及び復号も行う。レイヤー１処理部２０８１は、上りリンクにおいてユーザデータを受信しない場合で、かつ、送達確認情報またはＣＱＩを受信する場合に、システム帯域の両端に位置する物理上りリンク制御チャネル（ＰＵＣＣＨ）にマッピングされた送達確認情報またはＣＱＩの受信処理を行う。
【０１１２】
レイヤー１処理部２０８１は、上りリンクにおいてユーザデータを受信する場合に、図５で示した４通りの及び図１３，１４で示した６通りの送信パターンのそれぞれにおいて、それぞれのビットマッピング方法でマッピングされた、ユーザデータと送達確認情報とＣＱＩの受信処理を行う。ビットマッピングの詳細は、上述した内容と同一であるため省略する。
【０１１３】
レイヤー１処理部２０８１は、図５等で示したユーザデータと送達確認情報とCQIのビットマッピング方法に基づいた受信処理を、ユーザデータの初回送信時に行ってもよいし、ユーザデータの再送時に行ってもよい。すなわち、レイヤー１処理部２０８１は、上記受信処理を、ユーザデータの初回送信時とユーザデータの再送時の両方に行ってもよいし、ユーザデータの初回送信時とユーザデータの再送時のどちらかにのみ行ってもよい。
【０１１４】
あるいは、レイヤー１処理部２０８１は、図５等で示した、ユーザデータと送達確認情報とCQIのビットマッピング方法に基づいた受信処理を、下りリンク制御チャネルにより、物理上りリンク共有チャネルを用いて通信を行うユーザのＩＤや、そのユーザデータのトランスポートフォーマットの情報が通知された場合に行ってもよいし、下りリンク制御チャネルにより、物理上りリンク共有チャネルを用いて通信を行うユーザのＩＤや、そのユーザデータのトランスポートフォーマットの情報が通知されなかった場合に行ってもよい。すなわち、レイヤー１処理部２０８１は、上記ビットマッピング方法に基づいた受信処理を、物理上りリンク共有チャネルを用いて通信を行うユーザのＩＤや、そのユーザデータのトランスポートフォーマットの情報が通知された場合と、通知されなかった場合の両方において行ってもよいし、物理上りリンク共有チャネルを用いて通信を行うユーザのＩＤや、そのユーザデータのトランスポートフォーマットの情報が通知された場合と、通知されなかった場合のどちらかにおいてのみ行ってもよい。ここで、「下りリンク制御チャネルにより、物理上りリンク共有チャネルを用いて通信を行うユーザのＩＤや、そのユーザデータのトランスポートフォーマットの情報が通知されなかった場合」とは、例えば、ユーザデータが再送される場合のことを指す。
【０１１５】
あるいは、前記「下りリンク制御チャネルにより、物理上りリンク共有チャネルを用いて通信を行うユーザのＩＤや、そのユーザデータのトランスポートフォーマットの情報が通知されなかった場合」とは、パーシステントスケジューリングが適用されている上りリンクの共有チャネルが送信される場合のことであってもよい。
【０１１６】
あるいは、レイヤー１処理部２０８１は、図５等で示した、ユーザデータと送達確認情報とCQIのビットマッピング方法に基づいた受信処理を、ユーザデータの再送時であり、かつ、下りリンク制御チャネルにより、物理上りリンク共有チャネルを用いて通信を行うユーザのＩＤや、そのユーザデータのトランスポートフォーマットの情報が通知されなかった場合に行ってもよい。
【０１１７】
上述したように、基地局装置はＣＱＩや送達確認情報がどのサブフレームに含まれているべきかを予測できる。しかし、送達確認情報は、本来は上り信号中に含まれるべきだが、実際には含まれていないこともある。本実施例ではレイヤー１処理部２０８１は、受信信号中に送達確認情報が含まれているか否かを判定する。レイヤー１処理部２０８１は、上りリンクにおいてユーザデータを受信する場合であって送達確認情報も受信する場合には、移動局１００ｎが実際に送達確認情報を送信したか否かを判定する。例えば、レイヤー１処理部２０８１は、送達確認情報がマッピングされているかもしれない受信信号(上り信号)のＳＩＲを測定し、上記ＳＩＲが所定の閾値より大きい場合に、移動局１００ｎが実際に送達確認情報を送信したと判定し、上記ＳＩＲが所定の閾値以下の場合に、移動局１００ｎは実際には送達確認情報を送信しなかったと判定してもよい。より一般的には、受信信号品質と閾値との比較結果に応じて、上り信号に送達確認情報等が含まれているか否かの判定がなされてもよい。そして、レイヤー１処理部２０８１は、上述した電力判定の判定結果をＭＡＣ処理部２０８２に通知する。
【０１１８】
また、ＭＡＣ処理部２０８２は、上りリンクのユーザデータのＭＡＣ再送制御の受信処理や、スケジューリング処理、伝送フォーマットの選択処理、周波数リソースの割り当て処理等を行う。ここで、スケジューリング処理とは、当該サブフレームにおいて共有チャネルを用いてユーザデータの送信を行う移動局を選別する処理のことを指す。また、伝送フォーマットの選択処理とは、スケジューリングにおいて選別された移動局が送信するユーザデータに関する変調方式や符号化率、データサイズを決定する処理のことを指す。上記変調方式、符号化率、データサイズの決定は、例えば、移動局から上りリンクにおいて送信するサウンディング用リファレンス信号のＳＩＲに基づいて行われる。さらに、上記周波数リソースの割り当て処理とは、スケジューリングにおいて選別された移動局が送信するユーザデータの送信に用いられるリソースブロックを決定する処理のことを指す。上記リソースブロックの決定は、例えば、移動局から上りリンクにおいて送信するサウンディング用リファレンス信号のＳＩＲに基づいて行われる。そして、ＭＡＣ処理部２０８２は、上述したスケジューリング処理、伝送フォーマットの選択処理、周波数リソースの割り当て処理により決定される、物理上りリンク共有チャネルを用いて通信を行うユーザのＩＤや、そのユーザデータのトランスポートフォーマットの情報をレイヤー１処理部２０８１に通知する。
【０１１９】
ＭＡＣ処理部２０８２は、レイヤー１処理部２０８１から、送達確認情報に関する電力判定の判定結果を受け取る。そして、ＭＡＣ処理部２０８２は、上記電力判定の判定結果が、移動局１００ｎは実際には送達確認情報を送信しなかったという判定結果である場合には、過去に送信した対応する下り共有チャネルが正常に受信できなかったと判断し、過去に送信した下り共有チャネルにマッピングされていた情報を再送する。例えば、移動局１００ｎは、共有チャネルを正常に受信しなかったのではなく、それに付随する下りＬ１／Ｌ２制御チャネルを正常に受信しなかったとＭＡＣ処理部２０８２が判断し、前回の送信は無効な送信であるとして、下りリンクの共有チャネルにマッピングされていた情報が再送されてもよい。すなわち、前回の送信が初回の送信であった場合には、今回の送信も初回の送信として送信処理が行われ、前回の処理が２回目の送信であった場合には、今回の送信も２回目の送信として送信処理が行われてもよい。
【０１２０】
ＲＬＣ処理部２０８３では、下りリンクのパケットデータに関する、分割・結合、ＲＬＣ再送制御の送信処理等のＲＬＣレイヤーの送信処理や、上りリンクのデータに関する、分割・結合、ＲＬＣ再送制御の受信処理等のＲＬＣレイヤーの受信処理が行われる。
【０１２１】
図１０は、上述した移動局１００ｎと基地局装置２００の処理を時間の観点から説明するための図である。例えば、＃iのサブフレームにおいて、基地局装置２００は、サブフ
レーム＃iのＰＤＳＣＨを用いて通信を行うユーザのＩＤや、そのユーザデータのトランスポートフォーマットの情報と、サブフレーム＃i＋３のＰＵＳＣＨを用いて通信を行うユーザのＩＤや、そのユーザデータのトランスポートフォーマットの情報とを、下りリンク制御チャネルを用いて移動局１００ｎに通知する(１００２)。＃iのサブフレームにおいて、移動局１００ｎは、上記下りリンク制御チャネルを受信する(１００４)。そして、移動局１００ｎは、上記下りリンク制御チャネルに含まれる、サブフレーム＃iのＰＤＳＣＨを用いて通信を行うユーザのＩＤが、自局のＩＤである場合には、上記下りリンク制御チャネルに含まれるトランスポートフォーマットの情報に基づき、ＰＤＳＣＨを受信する（１００４）。また、移動局１００ｎは、上記下りリンク制御チャネルに含まれる、サブフレーム＃i＋３のＰＵＳＣＨを用いて通信を行うユーザのＩＤが、自局のＩＤである場合には、上記下りリンク制御チャネルに含まれるトランスポートフォーマットの情報に基づき、サブフレームＰＵＳＣＨを送信する（１００６）。さらに、移動局１００ｎは、タイミング１００４においてＰＤＳＣＨを受信した場合に、そのＣＲＣチェック結果に基づいた送達確認情報を、サブフレーム＃i+3の上り制御チャネルを用いて送信する（１００６）。基地局装置２００は、タイミング１００２において、サブフレーム＃iにおいてＰＤＳＣＨを用いた通信を行うことを通知した移動局からの送達確認情報の受信処理を行う（１００８）。さらに、基地局装置２００は、タイミング１００２において、サブフレーム＃i＋３においてＰＵＳＣＨを用いた通信を行うことを通知した移動局からのＰＵＳＣＨの受信処理を行う。上述した例では、サブフレーム＃iにおけるＰＤＳＣＨの送達確認情報が送信されるサブフレームが、ＰＵＳＣＨが送信されるサブフレーム＃i+3と一致しているが、一致していなくてもよい。また、ＰＤＳＣＨとＰＵＳＣＨにおけるスケジューリングは一般に独立に行われる。
【０１２２】
本発明に係る、上りリンクにおけるユーザデータと送達確認情報とＣＱＩのビットマッピング方法は、上記１００６および１００８において適用される。尚、図１０においては、ＰＵＳＣＨを用いて通信を行うユーザのＩＤや、そのユーザデータのトランスポートフォーマットの情報が、下りリンク制御チャネルにより通知される場合を示したが、ＰＵＳＣＨを用いて通信を行うユーザのＩＤや、そのユーザデータのトランスポートフォーマットの情報が、下りリンク制御チャネルにより通知されない場合にも、本発明に係る、上りリンクにおけるユーザデータと送達確認情報とＣＱＩのビットマッピング方法は適用されることができる。より具体的には、上りリンクのユーザデータが再送される場合であり、かつ、ＰＵＳＣＨを用いて通信を行うユーザのＩＤや、そのユーザデータのトランスポートフォーマットの情報が、下りリンク制御チャネルにより通知されない場合に、本発明に係る、上りリンクにおけるユーザデータと送達確認情報とＣＱＩのビットマッピング方法が適用されてもよい。あるいは、より具体的には、パーシステントスケジューリングが適用されている上りリンクの共有チャネルが送信される場合に、本発明に係る、上りリンクにおけるユーザデータと送達確認情報とＣＱＩのビットマッピング方法が適用されてもよい。
【０１２３】
図１１を参照しながら、本実施例による移動局で使用される通信制御方法について説明する。図１１においては、移動局１００ｎは、当該サブフレームの上りリンクにおいて、共有チャネルを用いてユーザデータを送信することを前提とする。
【０１２４】
移動局１００ｎは、当該サブフレームにおいて、下りリンクの共有チャネルに関する送達確認情報を送信するか否かを判定する（ステップＳ１１０２）。
【０１２５】
送達確認情報を送信する場合（ステップＳ１１０２：ＹＥＳ）、移動局１００ｎは、下りリンクの共有チャネルのＣＲＣチェック結果に基づいた送達確認情報を送信する（ステップＳ１１０４）。
【０１２６】
一方、送達確認情報を送信しない場合（ステップＳ１１０２：ＮＯ）、移動局１００ｎは、送達確認情報がマッピングされるビット領域を設定し、そのビット領域でのデータのマッピングは禁止される（ＤＴＸ）。すなわち、そのビット領域では、どのような信号も送信されない（ステップＳ１１０６）。
【０１２７】
尚、上述した図１１に示した通信制御方法は、移動局１００ｎが、当該サブフレームの上りリンクにおいて送信する共有チャネルのための制御情報を、予め決められている以前のサブフレームにおいて受信していない場合にのみ適用されてもよい。ここで、上記制御情報とは、下りリンク制御チャネルにより通知される上りリンクの共有チャネルを用いて通信を行うユーザのＩＤや、そのユーザデータのトランスポートフォーマットの情報のことを指す。ここで、「当該サブフレームの上りリンクにおいて送信する共有チャネルのための制御情報を、予め決められている以前のサブフレームにおいて受信していない場合」とは、例えば、パーシステントスケジューリングが適用されている上りリンクの共有チャネルが送信される場合であってもよい。あるいは、上述した図１１に示した通信制御方法は、上りリンクの共有チャネルが再送である場合にのみ適用されてもよい。あるいは、上述した図１１に示した通信制御方法は、上りリンクの共有チャネルが再送であり、かつ、移動局１００ｎが、当該サブフレームの上りリンクにおいて送信する共有チャネルのための制御情報を、予め決められている以前のサブフレームにおいて受信していない場合にのみ適用されてもよい。
【０１２８】
図１２を参照しながら、本実施例による基地局装置で使用される通信制御方法について説明する。図１２においては、基地局装置２００は、あるサブフレームの上りリンクにおいて、共有チャネルを用いてユーザデータを移動局１００ｎが送信することを直接的に及び移動局１００ｎが下り共有チャネルの送達確認情報を送信することを間接的に指示していると仮定する。送信パケットの伝送されるタイミングとその送信パケットに対する送達確認情報の伝送されるタイミングは、基地局装置及び移動局の間で、固定的に又は動的に決定される。具体的には、基地局装置２００が、あるサブフレームで移動局１００ｎに対して或るパケットを送信した後、当該サブフレームより所定の時間間隔だけ後のサブフレームで、移動局１００ｎは送達確認情報を送信することが予定される。
【０１２９】
基地局装置２００は、送達確認情報がマッピングされる信号のＳＩＲを測定し、上記ＳＩＲが所定の閾値より大きいか否かを判定する（ステップＳ１２０２）。送達確認情報がマッピングされる信号のＳＩＲが所定の閾値よりも大きい場合（ステップＳ１２０２：ＹＥＳ）、基地局装置２００は、移動局１００ｎが実際に送達確認情報を送信したと判定する（ステップＳ１２０４）。
【０１３０】
一方、送達確認情報がマッピングされる信号のＳＩＲが所定の閾値以下である場合（ステップＳ１２０２：ＮＯ）、基地局装置２００は、移動局１００ｎが実際には送達確認情報を送信しなかったと判定する（ステップＳ１２０６）。このとき、基地局装置２００は、上記送達確認情報に対応する下りリンクの共有チャネルを再送してもよい。
【０１３１】
本発明の実施例によれば、送達確認情報のビット領域を常に確保することにより、どの移動局が共有チャネルを用いて通信を行うかの情報を移動局が適切に受信できなかった場合であっても、移動局が上りリンクのスケジューリング情報を適切に受信できていれば、基地局装置は上りリンクで通常のデータ信号を正しく受信できる。
【０１３２】
上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例が説明されたが、本発明に係る移動局、基地局装置、移動通信システム及び通信制御方法は、共有チャネルを用いた通信を行う他のシステムにも適用可能である。
【図面の簡単な説明】
【０１３３】
【図１】本発明の一実施例に係る無線通信システムの構成を示すブロック図である。
【図２】上り制御チャネルのマッピング例を示す説明図である。
【図３】サブフレームの構成例を示す説明図である。
【図４】送達確認情報、ＣＱＩ及びユーザデータの送信パターンを示す説明図である。
【図５】各送信パターンでのチャネルマッピング例を示す説明図である。
【図６】本発明の一実施例に係る移動局を示す部分ブロック図である。
【図７】本発明の一実施例に係る移動局のベースバンド信号処理部を示すブロック図である。
【図８】本発明の一実施例に係る基地局装置を示す部分ブロック図である。
【図９】本発明の一実施例に係る基地局装置のベースバンド信号処理部を示すブロック図である。
【図１０】本発明の一実施例に係る移動局と基地局装置の処理の時間関係を示す説明図である。
【図１１】本発明の一実施例に係る移動局で使用される通信制御方法を示すフロー図である。
【図１２】本発明の一実施例に係る基地局装置で使用される通信制御方法を示すフロー図である。
【図１３】各送信パターンでの別のチャネルマッピング例を示す説明図(その１)である。
【図１４】各送信パターンでの別のチャネルマッピング例を示す説明図(その２)である。
【符号の説明】
【０１３４】
５０  セル
１００１、１００２、１００３、１００ｎ  移動局
１０２  送受信アンテナ
１０４  アンプ部
１０６  送受信部
１０８  ベースバンド処理部
１１０  アプリケーション部
１０８１  レイヤー１処理部
１０８２  ＭＡＣ処理部
２００  基地局装置
２０２  送受信アンテナ
２０４  アンプ部
２０６  送受信部
２０８  ベースバンド信号処理部
２１０  呼処理部
２１２  伝送路インターフェース
２０８１  レイヤー１処理部
２０８２  ＭＡＣ処理部
２０８３  ＲＬＣ処理部
３００  アクセスゲートウェイ装置
４００  コアネットワーク
【図１】
2008289114.tif 000003
【図２】
2008289114.tif 000004
【図３】
2008289114.tif 000005
【図４】
2008289114.tif 000006
【図５】
2008289114.tif 000007
【図６】
2008289114.tif 000008
【図７】
2008289114.tif 000009
【図８】
2008289114.tif 000010
【図９】
2008289114.tif 000011
【図１０】
2008289114.tif 000012
【図１１】
2008289114.tif 000013
【図１２】
2008289114.tif 000014
【図１３】
2008289114.tif 000015
【図１４】
2008289114.tif 000016